(57)【要約】【課題】倒伏した便蓋と便座ボックス、ロータンクカバー等のケースとの間の間隙に塵やゴミが入ることを防止することができる便蓋装置を提供する。【解決手段】便蓋５Ａの後縁部とロータンクカバー６の凸部６ａの前縁部との間の間隙を上方から被うようにカバー１０が設けられている。カバー１０の前縁部にはヒンジ部１０ａが設けられており、このヒンジ部１０ａを介して、該カバー１０は便蓋５Ａに対し上下方向回動自在に取り付けられている。便蓋５Ａが上方に回動するときには、この便蓋５Ａの回動に伴い、カバー１０は後縁部を凸部６ａの上面に沿って摺動させつつヒンジ部１０ａを回動中心として便蓋５Ａに対し上方へ回動して該便蓋５Ａの回動を許容する。便蓋５Ａを下方に回動させて倒伏状態としたときには、カバー１０は、便蓋５Ａを上方に回動させて起立状態としたときと逆の動作により、上方から該便蓋５Ａと凸部６ａの間の間隙に被さる。【選択図】  図１
2004180738.tif 000002
【特許請求の範囲】
【請求項１】
洋風便器の後部上面に設置されたケースと、該ケースに対し起倒回動可能に連結された便蓋とを有する便蓋装置において、
該便蓋の後縁と該ケースとの間の間隙を上方から被うカバーを設けたことを特徴とする便蓋装置。
【請求項２】
請求項１において、該カバーは前記便蓋の後部に対し上下方向回動自在に取り付けられていることを特徴とする便蓋装置。
【請求項３】
請求項１において、前記カバーは、便蓋の回動に伴って自在に変形しうる柔軟性を有した軟質材よりなることを特徴とする便蓋装置。
【請求項４】
請求項１ないし３のいずれか１項において、該ケースは便座ボックス又はロータンクカバーであることを特徴とする便蓋装置。
【発明の詳細な説明】
【０００１】
【発明の属する技術分野】
本発明は、洋風便器に設置される便蓋装置に関するものであり、特に便蓋の開閉構造を改良した便蓋装置に関する。
【０００２】
【従来の技術】
洋風便器の後部上面に便座ボックスやロータンクカバーが設置され、この便座ボックス又はロータンクカバーの前面に便座及び便蓋を起倒方向回動可能に取り付けた洋風便器設備が広く用いられている。
【０００３】
第７図は便座ボックスを備えた洋風便器の一例を示し、第８図はロータンクカバーを備えた洋風便器の一例を示している。
【０００４】
第７図では、洋風便器１の後部上面にロータンク２が設置され、このロータンク２の前側に便座ボックス３が設置されている。この便座ボックス３に対し便座４と便蓋５とが起倒方向（上下方向）回動可能に連結されている。この便座ボックス３内には、便座着座者の臀部を温水で洗浄するための温水洗浄装置等が設置されている。
【０００５】
第８図では、洋風便器１の後部上面にロータンクカバー６が設置され、このロータンクカバー６に対し便座４と便蓋５とが起倒回動可能に取り付けられている。このロータンクカバー６内には、ロータンク、温水洗浄装置等が設置されている。
【０００６】
この便蓋５と便座ボックス３又はロータンクカバー６との間には便座５の起倒回動を許容するように所定の間隙があいている。なお、この間隙を過度に狭くすると、便蓋５を起立させるときに便蓋５の後縁が便座ボックス３又はロータンクカバー６に当ってしまう。
【０００７】
特開２００１−３２３５３５号の第０００３段落では、この間隙に塵やゴミが入るという問題点が指摘されているが、この間隙に塵やゴミが入らないようにする構成は同号公報を含めて、従来、提案されていない。
【０００８】
【特許文献１】
特開２００１−３２３５３５号公報
【０００９】
【発明が解決しようとする課題】
本発明は、倒伏した便蓋と便座ボックス、ロータンクカバー等のケースとの間隙に塵やゴミが入ることを防止することができる便蓋装置を提供することを目的とする。
【００１０】
【課題を解決するための手段】
本発明の便蓋装置は、洋風便器の後部上面に設置されたケースと、該ケースに対し起倒回動可能に連結された便蓋とを有する便蓋装置において、該便蓋の後縁と該ケースとの間の間隙を上方から被うカバーを設けたことを特徴とするものである。
【００１１】
かかる便蓋装置にあっては、便蓋の後縁とケースとの間の間隙がカバーによって被われているので、この間隙に塵やゴミが入ることが防止される。
【００１２】
このカバーは便蓋の後部に対し上下方向回動自在に取り付けられていることが好ましい。この場合、便蓋を起倒回動させた場合、カバーは、その後縁をケースの前縁部上面と摺動させるようにして回動する。
【００１３】
本発明では、カバーは、便蓋の回動に伴って自在に変形しうる柔軟性を有した軟質材よりなる構成としてもよい。
【００１４】
【発明の実施の形態】
以下、図面を参照して実施の形態について説明する。
【００１５】
第１図は実施の形態に係る便蓋装置を備えた洋風便器設備の斜視図、第２図はこの便蓋装置を示す平面図であり、第３図は第２図のＩＩＩ−ＩＩＩ線に沿う断面図である。なお、第３図（ａ）は便蓋が倒伏状態となっているときを示し、同（ｂ）は便蓋が起立状態となっているときを示している。以下の説明において、前後方向及び左右方向とは、洋風便器設備の便座に座った用便者にとっての前後方向及び左右方向をいう。
【００１６】
第１図に示す通り、この実施の形態の洋風便器設備は、洋風便器１の後部上面にケースとしてロータンクカバー６が設置され、このロータンクカバー６に対し便座４と便蓋５Ａとが起倒回動可能に取り付けられた第８図と同じタイプのものである。
【００１７】
第２図の通り、便蓋５Ａの後縁部の左右両端側から後方（便蓋５Ａが倒伏した状態となっているときの後方。）に向って１対の延出部５ａ，５ａが突設されている。ロータンクカバー６の前面の下部からは、この延出部５ａ，５ａ間に張り出す箱状の凸部６ａが設けられている。この凸部６ａの左右両側面に沿ってそれぞれ延出部５ａが配置されており、便蓋５Ａは、回動軸５ｂを回動中心として起倒方向（上下方向）に回動自在に該凸部６ａに取り付けられている。
【００１８】
なお、便座４にも、その後縁部の左右両端側から該凸部６ａの左右両側面に沿うように後方（便座４が倒伏した状態にあるときの後方。）に向って１対の延出部４ａ，４ａが突設されている。上記回動軸５ｂは、凸部６ａの左右両側面に沿って配置された各延出部４ａを貫通するように延在しており、この回動軸５ｂを介して、該便座４も起倒回動可能に該凸部６ａに取り付けられている。
【００１９】
便蓋５Ａの後縁部と凸部６ａの前縁部との間、各延出部５ａと該凸部６ａの左右両側面との間、並びに各延出部５ａの後端部とロータンクカバー６の前面との間には、便蓋５Ａの起倒回動を許容するように、それぞれ所定の間隙が形成されている。便蓋５Ａが倒伏した状態となっているときにこの間隙を上方から被うように、便蓋５Ａの後部上面にカバー１０が取り付けられている。
【００２０】
このカバー１０は、この実施の形態では、第２図に示すように、便蓋５Ａの後縁部と凸部６ａの前縁部とに跨るようにしつつ両者の間の間隙に沿って左右方向に延在した略長方形板状のものである。この実施の形態では、該カバー１０の左右両端部は、各延出部５ａと凸部６ａの左右両側面との間の間隙をも上方から被っている。このカバー１０の前縁部にはヒンジ部１０ａが設けられており、このヒンジ部１０ａを介して、該カバー１０は便蓋５Ａの後部上面に対し上下方向回動自在に取り付けられている。このカバー１０の後縁部は凸部６ａの上面に対し摺動可能に重なっている。
【００２１】
このカバー１０は、便蓋５Ａを上下に回動させて倒伏状態から起立状態とするときには、この便蓋５Ａの回動に伴い、第３図（ｂ）に示す如く、後縁部を凸部６ａの上面に沿って後方に摺動させつつ、前縁部のヒンジ部１０ａを回動中心として該便蓋５Ａの上面から離反するように回動して便蓋５Ａの起立回動を許容する。また、便蓋５Ａを下方に回動させて起立状態から倒伏状態としたときには、該カバー１０は、この便蓋５Ａの回動に伴い、第３図（ａ）の如く、該便蓋５Ａを上方に回動させたときと逆の動作によって上方から該便蓋５Ａの後縁部と凸部６ａの前縁部との間の間隙に被さる。
【００２２】
このように構成された便蓋装置を備えた洋風便器設備にあっては、便蓋５Ａが倒伏した状態となっているときには該便蓋５Ａの後縁部と凸部６ａの前縁部との間の間隙がカバー１０によって被われているので、この間隙に塵やゴミが入ることが防止される。
【００２３】
なお、この実施の形態では、第２図に示すように、カバー１０によって便蓋５Ａの後縁部と凸部６ａの前縁部との間の間隙と、各延出部５ａと該凸部６ａの左右両側面との間の間隙とを被うように構成しているが、もちろん、該カバー１０の左右両端部を便蓋５Ａの左右両端部にまで達するように左右方向に延長して各延出部５ａとロータンクカバー６の前面との間の間隙をも上方から被うように構成してもよい。
【００２４】
第４図（ａ），（ｂ）は本発明の別の実施の形態に係る便蓋装置を示す第３図（ａ），（ｂ）と同様部分の断面図である。なお、第４図（ａ）は便蓋が倒伏した状態を示し、同（ｂ）は便蓋が起立した状態を示している。
【００２５】
この実施の形態では、便蓋５Ａの回動に伴って自在に変形しうる柔軟性を有した軟質材よりなるカバー１０Ａによって便蓋５Ａの後縁部とロータンクカバー６の凸部６ａの前縁部との間の間隙を上方から被っている。
【００２６】
このカバー１０Ａは、前述の第１〜３図のカバー１０と同様、便蓋５Ａの後縁部と凸部６ａの前縁部とに跨るようにしつつこれらの間の間隙に沿って左右方向に延在した略長方形シート状のものであり、その左右両端部は、便蓋５Ａの各延出部５ａ（第４図（ａ），（ｂ）では図示略。）と凸部６ａの左右両側面との間の間隙をも上方から被っている。ただし、このカバー１０Ａの左右両端部を便蓋５Ａの左右両端部にまで達するように左右方向に延長し、左右の延出部５ａの後端部とロータンクカバー６の前面との間の間隙をも上方から被うようにしてもよい。
【００２７】
このカバー１０Ａは、前縁部が接着や超音波溶着等の接合手段によって便蓋５Ａの後部上面に接合されている。このカバー１０Ａの後縁部は凸部６ａの上面に対し摺動可能に重なっている。
【００２８】
このカバー１０Ａは、便蓋５Ａを上下に回動させて倒伏状態から起立状態とするときには、この便蓋５Ａの回動に伴い、第４図（ｂ）に示す如く、後縁部を凸部６ａの上面に沿って後方に摺動させつつ柔軟に変形して該便蓋５Ａの上方への回動を許容する。また、便蓋５Ａを下方に回動させて起立状態から倒伏状態としたときには、該カバー１０Ａは、後縁部を凸部６ａに沿って前方に摺動させつつこの便蓋５Ａの回動に伴い柔軟に変形して第４図（ａ）に示す如く上方から該便蓋５Ａの後縁部と凸部６ａの前縁部との間の間隙に被さる。
【００２９】
このカバー１０Ａを備えた便蓋装置のその他の構成は前述の第１〜３図の便蓋装置と同一となっており、第４図（ａ），（ｂ）において第１〜３図と同一部分には同一符号が付されている。
【００３０】
このように構成された便蓋装置を備えた洋風便器設備にあっても、便蓋５Ａが倒伏した状態となっているときには該便蓋５Ａの後縁部と凸部６ａの前縁部との間の間隙がカバー１０Ａによって被われているので、この間隙に塵やゴミが入ることが防止される。
【００３１】
上記の第１〜３図の実施の形態では、カバー１０の前縁部にヒンジ部１０ａを設け、このヒンジ部１０ａを介してカバー１０が便蓋５Ａに対し上下方向回動自在に取り付けられているが、第５図（ａ），（ｂ）に示すように、カバー１０の後縁部にヒンジ部１０ａを設け、このヒンジ部１０ａを介して該カバー１０を凸部６ａに対し上下方向回動自在に取り付けてもよい。また、上記の第４図の実施の形態では、便蓋５Ａの回動に伴って柔軟に変形しうるカバー１０Ａの前縁部を便蓋５Ａに接合しているが、このカバー１０Ａも、後縁部を接着等の接合手段によって凸部６ａに接合してもよい。
【００３２】
第５図（ａ），（ｂ）の便蓋装置では、カバー１０は後縁部がヒンジ部１０ａを介して凸部６ａに対し上下方向回動自在に取り付けられている。このヒンジ部１０ａは、該カバー１０をその前縁部が便蓋５Ａの上面に対し摺動可能に当接するように下方に付勢するスプリング等よりなる付勢手段（図示略）を備えている。
【００３３】
この便蓋装置のその他の構成は第１〜３図の便蓋装置と同一となっており、第５図（ａ），（ｂ）において第１〜３図の便蓋装置と同一部分に同一符号を付すことにより説明を省略する。
【００３４】
このように構成された便蓋装置にあっては、カバー１０は、便蓋５Ａを上方に回動させて倒伏状態から起立状態とするときには、この便蓋５Ａの回動に伴い、第５図（ｂ）に示す如く、前縁部を便蓋５Ａの上面に沿って後方に摺動させつつ、前記付勢手段からの付勢力に抗して後縁部のヒンジ部１０ａを回動中心として該便蓋５Ａの上面から離反するように回動する。また、便蓋５Ａを下方に回動させて起立状態から倒伏状態としたときには、該カバー１０は、この便蓋５Ａの回動に伴い、第５図（ａ）の如く、該付勢手段からの付勢力によって該便蓋５Ａを上方に回動させたときと逆の動作を行い、上方から該便蓋５Ａの後縁部と凸部６ａの前縁部との間の間隙に被さる。
【００３５】
第６図（ａ），（ｂ）の便蓋装置では、便蓋５Ａの回動に伴って柔軟に変形しうるカバー１０Ａの後縁部が接着や超音波溶着等の接合手段によって凸部６ａの上面に接合され、前縁部が便蓋５Ａの後部上面に対し摺動可能に重なっている。この便蓋装置のその他の構成は前述の第４図（ａ），（ｂ）の便蓋装置と同一となっており、第６図（ａ），（ｂ）において第４図（ａ），（ｂ）と同一部分には同一符号が付されている。
【００３６】
この便蓋装置にあっては、カバー１０Ａは、便蓋５Ａを上下に回動させて倒伏状態から起立状態とするときには、この便蓋５Ａの回動に伴い、第６図（ｂ）に示す如く、前縁部を便蓋５Ａの上面に沿って前方に摺動させつつ柔軟に変形する。また、便蓋５Ａを下方に回動させて起立状態から倒伏状態としたときには、該カバー１０Ａは、前縁部を便蓋５Ａに沿って後方に摺動させつつこの便蓋５Ａの回動に伴い柔軟に変形して第６図（ａ）に示す如く上方から該便蓋５Ａの後縁部を凸部６ａの前縁部との間の間隙に被さる。
【００３７】
なお、上記の各実施の形態は本発明の一例であり、本発明は上記の各実施の形態に限定されているものではない。例えば、上記の各実施の形態では、便蓋５Ａの後縁部と凸部６ａの前縁部との間の間隙に上方から被さるように、該便蓋５Ａやロータンクカバー６とは別個に設けられたカバーをヒンジ部や接着等の接合手段を介して便蓋５Ａ又はロータンクカバー６に取り付けているが、カバーは、該便蓋５Ａやロータンクカバー６の全体又は一部と一体に設けられてもよい。また、上記の各実施の形態では一枚のカバーを設けているが、複数のカバーを設けてもよい。この場合、複数のカバーを便蓋５Ａ及びロータンクカバー６の一方にのみ取り付けてもよく、双方に取り付けてもよい。
【００３８】
上記の各実施の形態では、ケースとしてロータンクカバーを備えた洋風便器設備に本発明を適用しているが、便座ボックスを備えた洋風便器設備に適用してもよい。
【００３９】
【発明の効果】
以上の通り、本発明の便蓋装置によると、倒伏した便蓋と便座ボックス、ロータンクカバー等のケースとの間の間隙に塵やゴミが入ることを防止することができる。
【図面の簡単な説明】
【図１】実施の形態に係る便蓋装置を備えた洋風便器設備の斜視図である。
【図２】図１の便蓋装置を示す平面図である。
【図３】図２のＩＩＩ−ＩＩＩ線に沿う断面図である。
【図４】別の実施の形態に係る便蓋装置を示す断面図である。
【図５】異なる実施の形態に係る便蓋装置を示す断面図である。
【図６】さらに異なる実施の形態に係る便蓋装置を示す断面図である。
【図７】便座ボックスを備えた洋風便器の一例を示す斜視図である。
【図８】ロータンクカバーを備えた洋風便器の一例を示す斜視図である。
【符号の説明】
１  洋風便器
４  便座
５，５Ａ  便蓋
５ａ  延出部
６  ロータンクカバー
６ａ  凸部
１０，１０Ａ  カバー
１０ａ  ヒンジ部
【図１】
2004180738.tif 000003
【図２】
2004180738.tif 000004
【図３】
2004180738.tif 000005
【図４】
2004180738.tif 000006
【図５】
2004180738.tif 000007
【図６】
2004180738.tif 000008
【図７】
2004180738.tif 000009
【図８】
2004180738.tif 000010